(57)【要約】      （修正有）【課題】化学電池を使用する必要がない小型モーション駆動体温計を提供する。【解決手段】体温計は、本体部材及び本体部材に固定される熱接触表面を備える先端部材を有する。先端部材の内側に取り付けられる温度センサは、熱接触表面を検知して温度信号を作り出す。一式のリードワイヤは、温度信号を伝達するよう温度センサに結合される。ディスプレイモジュールは本体部材に配置される。モーション発電器は、キャパシタを有し、プロセッサは、電力を得るようキャパシタに電気的に接続され、かつ温度信号を受信するよう一式のリードワイヤに接続され、対応する計測温度を表示するためにディスプレイモジュールを駆動させる。ディスプレイモジュール、プロセッサ、及びキャパシタは基板に配置される。基板、管状シリンダ、及び本体部材は互いに平行である。【選択図】図４
0003167980.tif 000002
【実用新案登録請求の範囲】
【請求項１】
モーション駆動体温計であって、
本体部材と、
該本体部材に対して固定される熱接触表面を有する先端部材と、
熱接触表面を検知して温度信号を作り出すよう適合された、前記先端部材の内側に取り付けられる温度センサと、
前記温度信号を伝達するよう前記温度センサに対して結合される一式のリードワイヤと、
モーション発電器と、
前記本体部材において配置されるディスプレイモジュールと、
プロセッサと、
基板と、
を有し、
前記モーション発電器は、
前記本体部材において配置される管状シリンダと、
該管状シリンダ内において自由に摺動する磁気コアと、
前記管状シリンダの周囲に巻き付けられるため、該管状シリンダを通って一端から他端まで摺動するときに磁気コイルが通って動くワイヤコイルと、
該ワイヤコイルに対して電気的に接続されるキャパシタと、
を有し、
前記プロセッサは、電力を得るよう前記キャパシタに対して電気的に接続されかつ前記温度信号を受信するようリードワイヤの組に対して電気的に取り付けられ、対応する計測温度を表示するようディスプレイモジュールを駆動させ、
前記基板は、前記本体部材において配置され、また該基板の上方には前記ディスプレイモジュール、前記プロセッサ、及び前記キャパシタが配置され、
前記基板、前記管状シリンダ、前記本体部材は、互いに対して平行である、
体温計。
【請求項２】
前記管状シリンダは前記基板の下方に配置される、
請求項１記載の体温計。
【請求項３】
前記管状シリンダの両端において一組の支持部を更に有する、
請求項２記載の体温計。
【請求項４】
前記支持部の組は、前記基板を支持するよう平らな表面を備えたプラットフォーム部材を夫々有する、
請求項３記載の体温計。
【請求項５】
前記管状シリンダの両端において一組の通気穴を更に有する、
請求項１記載の体温計。
【請求項６】
夫々の内側開口、及び該内側開口に連通される夫々の外側開口を備える一組の支持部を更に有し、
前記管状シリンダの前記両端は、前記内側開口の組への挿入を可能とするよう寸法決め及び構成される、
請求項５記載の体温計。
【請求項７】
前記管状シリンダの前記通気穴の組の両方は、前記内側開口を通って前記外側開口に連通される、
請求項６記載の体温計。
【請求項８】
前記外側開口の寸法は、前記磁気コアが前記支持部から出て動くことを避けるよう磁気コアの寸法より更に小さい、
請求項７記載の体温計。
【請求項９】
前記外側開口の寸法は、前記内側開口の寸法より小さい、
請求項８記載の体温計。
【請求項１０】
前記管状シリンダは透明である、
請求項９記載の体温計。
【請求項１１】
前記管状シリンダは前記基板の下方に配置される、
請求項９記載の体温計。
【請求項１２】
前記支持部の組は、前記基板を支持するよう平らな表面を備えるプラットフォーム部材を夫々有する、
請求項１１記載の体温計。
【考案の詳細な説明】
【技術分野】
【０００１】
本考案は、体温計の分野に係り、より特には、小型モーション駆動体温計（compact  motion  powered  thermometers）の分野に係る。
【背景技術】
【０００２】
電子体温計は一般的に、医療（ヘルスケア）分野において使用される従来のガラスと水銀の体温計と比べて多くの利点を与える。電子体温計の利点には、廃棄可能なカバーの使用によって可能となる、ガラス体温計に対する消毒処置が排除されること、体温計が落とされた場合にガラスが割れる可能性が排除されること、計測温度エラーを排除するようデジタル温度表示を有すること、及び、適切な回路設計及び較正を有して、容易に得られる十分の１華氏度の正確な測定及び表示により更に高い精度及び解像度（resolution）が可能であること、が挙げられる。
【０００３】
かかる電子体温計は典型的には、電源として化学電池（chemical  battery）を使用する。しかしながら、電子体温計は一般的に、患者が電子体温計を使用するのが具合の悪いとき又は不快なときのみであるため、長期間にわたって使用されないものである。故に、このような電源として化学電池を使用する電子体温計は、環境のことを考慮したものではない。
【考案の概要】
【考案が解決しようとする課題】
【０００４】
本考案の典型的な一実施例は、小型モーション駆動体温計を与えることによって上述の問題点を克服する。
【課題を解決するための手段】
【０００５】
当該体温計は、本体部材及び該本体部材に対して固定される熱接触表面を備える先端部材を有する。先端部材の内側において取り付けられる温度センサは、熱接触表面を検知して温度信号を作り出すよう適合される。一式のリードワイヤは、温度信号を伝達するよう温度センサに対して結合される。ディスプレイモジュールは本体部材において配置される。モーション発電器は、キャパシタに対して動力を供給する。プロセッサは、電力を得るようキャパシタに対して電気的に接続され、かつ温度信号を受信するよう一式のリードワイヤに対して接続されるため、対応する計測温度（temperature  reading）を表示するためにディスプレイモジュールを駆動させ得る。ディスプレイモジュール、プロセッサ、及びキャパシタは、基板において配置される。基板、管状シリンダ、及び本体部材は、互いに対して平行である。
【０００６】
本考案は、限定的ではなく単なる例としての実施例を用いて説明される。該実施例は添付の図面において示され、図中同様の参照符号は同様の要素を示す。
【図面の簡単な説明】
【０００７】
【図１】本考案の典型的な一実施例に従ったモーション駆動体温計の概略図である。
【図２】図１中のモーション駆動体温計の分解斜視図である。
【図３】本考案の典型的な一実施例に従ったモーション発電器（motion  electric  power  generator）の概略図である。
【図４】本考案の典型的な一実施例に従った管状シリンダ及び支持部の概略図である。
【図５Ａ】図４中の支持部の内側開口の概略図である
【図５Ｂ】図４中の支持部の外側開口の概略図である
【考案を実施するための形態】
【０００８】
図１及び２を参照すると、体温計の一実施例が示されている。当該体温計は、本体部材１０及び先端部材１１を有して作られる。典型的には、カバー６０は、体温計の構成要素が組み立てられたあとに本体部材１０に対して固定される。本体部材１０は、プローブ部１２及びディスプレイ部１５を有する。先端部材１１は、本体部材１０のプローブ部１２に対して固定される。望ましくは、先端部材１１は、中空のキャビティ（cavity）を取り囲む熱的接触表面を有する。一実施例では、中空の先端部材１１は、望ましくはステンレススチール等である優れた熱伝導性を有する金属を有して作られる。
【０００９】
温度センサ５１は、先端部材１１の端部において位置付けられ、熱的接触表面の内側において取り付けられる。温度センサ５１は、熱的接触表面の温度を検知し、温度信号を作り出す。一式のリードワイヤ５２，５４があり、該リードワイヤは温度信号を伝達するよう温度センサ５１に対して結合される。
【００１０】
図２において示される通り、ディスプレイモジュール２０は、ディスプレイ部１５において配置され、対応する計測温度を表示するために温度信号を受信するようリードワイヤ５２及び５４に対して接続される。典型的には、ベースプレート（base  plate）３０は、ディスプレイモジュール２０を覆うよう適合され得る。一例において、ディスプレイモジュール２０は、基板２２を有し、該基板上に配置されるＬＣＤパネル等であるディスプレイパネル２３を支持する。集積回路チップ等であるプロセッサ７６は、デジタルディスプレイ２３に対して結合されるよう基板２２において配置される。プロセッサ７６は、温度信号を受信するようリードワイヤ５２及び５４に対して電気的に接続され、対応する計測温度を示すようディスプレイパネル２３を駆動する。望ましくは、ベースプレート３０は、ディスプレイパネル２３を露出させるよう開口３３を備える。典型的にベースプレート３０はプラスチックであり、基板２２はプリント基板である。
【００１１】
一例において先端部材１１は、管状形状に作られ、ドーム型、半球形、又は半楕円形（hemiellipsoid）の端部において閉鎖される。接触表面は患者の肉体と接触するようにされるため、熱は患者の肉体から先端部材１１まで伝達され得る。一実施例において、温度センサ５１はサーミスタである。リードワイヤ５２及び５４並びにサーミスタ５１はいずれも、熱伝導接着剤を有して熱接触表面の内側に接着される。接着剤は、エポキシ樹脂等である優れた熱伝導性を有する絶縁材料である。更には、リードワイヤ５２及び５４は一組の電気リードワイヤ（electrical  lead  wires）を有して作られる。該ワイヤは、表示する対応の温度を確定するよう温度センサ５１をプロセッサ７６に対して接続するよう使用される。
【００１２】
上方表面から延在する透明層４０は、ディスプレイ開口１３の下方におけるディスプレイモジュール２０を少なくとも覆う。望ましくは、透明層４０は、ベースプレート３０の上方表面全体を覆う。また一般的にはデジタルディスプレイ２３は、基板２２上及び透明層４０の下方に配置される。透明層４０は、透明なプラスチックシートであり得る。望ましくは、透明層は有機ガラス又はポリメチルメタクリラート（PMMA）を有して作られる。
【００１３】
図３を参照すると、本体部材１０において配置されるモーション発電器（motion  electric  power  generator）８０は、ディスプレイモジュール２０の基板２２に対して平行である。モーション発電器８０は、本体部材１０において配置される管状シリンダ８２、及び管状シリンダ８２内において自由に摺動する磁気コア８４を有する。管状シリンダ８２は、透明な材料を有して作られ得る。ワイヤコイル（coil  of  wire）８６は管状シリンダ８２の周囲に巻き付けられるため、磁気コア８４は、管状シリンダ８２を通って一端から他端まで摺動するときにワイヤコイル８６を通って動く。図２及び図３に示される通り、電動力はワイヤコイル８６によって生成されるため、ＡＣ電力が出力される。更には、ＡＣ電力出力は、チップキャパシタ（chip  capacitor）等であるキャパシタ（capacitor）７４に対して送電ワイヤ（electricity  transmission  wires）７０を通って電力を供給するよう、整流器７２によって整流される。磁気コイル８４は、管状シリンダ８２を通って前後に動くため、ワイヤコイル８６を通って流れる磁束を変え、キャパシタ電圧を高める。
【００１４】
更に、プロセッサ７６は、電力を得るようキャパシタ７４に対して電気的に接続され、温度信号を受信するよう一式のリードワイヤ５２，５４に対して電気的に接続され、対応する計測温度を表示するようディスプレイパネル２３を駆動させ得る。一例において、キャパシタ７４は、体温計を前後に連続的に動かすことによって電気的エネルギを蓄える。プロセッサ７６は、体温計が充電動作を行なっている状態を示す開始信号（starting  signal）を表示するために、ユーザに知らせるためにスピーカを介する音声を生成するよう、あるいはディスプレイパネル２３を駆動させるよう作動される一方、充電されたキャパシタ電圧は、少なくとも所定の開始電圧（start  voltage）まで高められる。その後、プロセッサ７６はキャパシタ電圧の変化を連続的に検出する。短いモーションタイムの間、プロセッサ７６は、体温計が体温測定動作を行なう準備が出来ている状態を示す動作信号を表示するためにユーザに知らせるようスピーカを介する音声を生成するよう、あるいはディスプレイパネル２３を駆動させるよう作動される一方、充電されたキャパシタ電圧は、少なくとも一周期又は二周期の体温測定動作を行なうよう十分である、所定の開始電圧より高い少なくとも所定の動作電圧まで更に高められる。特には、上述された機能は１つ又は複数のチップにおいて集積され得る。
【００１５】
このような体温計において、キャパシタは、要求に応じて使用するためのプロセッサ用のエネルギを蓄えるため、電源を保持するよう一時的な電池のように使用され得る。故に、環境汚染を容易に引き起す化学電池を使用する必要はない。
【００１６】
更に、ディスプレイパネル２３、プロセッサ７６、及びキャパシタ７４は、基板２２において配置される。管状シリンダ８２、基板２２、及びディスプレイ部１５は互いに対して平行である。特には、管状シリンダ８２は基板２２の下方に配置される。
【００１７】
図４、５Ａ、及び５Ｂは、典型的な一実施例に従った管状シリンダ８２並びに支持部９０及び９２の概略図である。例えば、モーション発電器８０は、一組の支持部９０及び９２を有し、該支持部は夫々、外側開口９０Ｃに連通される内側開口９０Ｂを備える。この場合、各々が通気穴８２Ａを有する管状シリンダ８２の２つの端部は、支持部９０及び９２の内側開口９０Ｂの組への固定形状又は取り外し可能な形状での挿入を可能にするよう寸法付けられて構成され得る。故に、通気穴８２Ａは内側開口９０Ｂを通って外側開口９０Ｃに連通するため、管状シリンダ８２内における空気抵抗は、磁気コア８４が管状シリンダ８２を通って前後に動くときに低下され得る。特には、磁気コア８４又は内側開口９０Ｂの寸法は、磁気コア８４が管状シリンダ８２を出て動くことを避けるよう外側開口９０Ｃの寸法より大きい。言い換えれば、支持部９０，０２の組は各々、磁気コア８４のストップ部としての役割を有する。望ましい一実施例において、支持部９０，９２の組は各々、上方にプラットフォーム９０Ａ及び９２Ａを有し、基板２２の下部表面をしっかりと支持する。
【００１８】
本考案は、例として、また望ましい実施例に関して説明されてきたが、本考案が開示された実施例に限定されないことは理解されるべきである。反対に、本考案は、（当業者には明らかである通り）多種の修正及び類似する配置を対象とするよう意図される。したがって、添付の請求項の範囲は、かかる修正及び類似の配置を包含するよう最大限に広い解釈を与えられるべきである。
【符号の説明】
【００１９】
１０  本体部材
１１  先端部材
１２  プローブ部
１３  開口
１５  ディスプレイ部
２０  ディスプレイモジュール
２２  基板
２３  ディスプレイパネル
３０  ベースプレート
３３  開口
４０  透明層
５１  温度センサ
５２  リードワイヤ
５４  リードワイヤ
６０  カバー
７０  送電ワイヤ
７２  整流器
７４  キャパシタ
７６  プロセッサ
８０  モーション発電器
８２  管状シリンダ
８２Ａ  通気穴
８４  磁気コア
８６  ワイヤコイル
９０  支持部
９０Ａ  プラットフォーム
９０Ｂ  内側開口
９０Ｃ  外側開口
９２  支持部
９２Ａ  プラットフォーム
【図１】
0003167980.tif 000003
【図２】
0003167980.tif 000004
【図３】
0003167980.tif 000005
【図４】
0003167980.tif 000006
【図５Ａ】
0003167980.tif 000007
【図５Ｂ】
0003167980.tif 000008